(57)【特許請求の範囲】
【請求項１】
着脱に適した防汚管路バルブであって、
弁体１と、弁体１の両端にそれぞれ固定される入水管２および出水管３とを含み、入水管
２の内端管壁には、弁体１に向かう方向に沿って順次に、対称関係を呈する少なくとも一
対の固定構造４と、一つの止封構造５と、対応関係を呈する二つの抵触構造６とが取付け
られており、固定構造４は、外設排汚水管を入水管２の内部に固定するためのものであり
、止封構造５は、外設排汚水管と入水管２との間の隙間を止封するためのものであり、抵
触構造６は、外設排汚水管と入水管２の間の固定の強固さを補強するためのものであり、
すべての固定構造４はそれぞれ、入水管２の内端に開設される取付溝４１と、回転軸４４
によって取付溝４１内に回転自在に接続される回動ブロック４２と、回動ブロック４２の
入水管２寄りの側面に取付けられる複数個の係合歯４３と、および回動ブロック４２の回
転軸４４と反対側の一端を位置決めする位置決め部材４５とを含み、係合歯４３と回動ブ
ロック４２との間に係合歯４３を伸縮させる伸縮部材４６が接続される、
ことを特徴とする着脱に適した防汚管路バルブ。
【請求項２】
位置決め部材４５は、回動ブロック４２の入水管２寄りの一端に固定される固定ブロック
４５１と、入水管３に開設され固定ブロック４５１に係合する係合溝４５２と、固定ブロ
ック４５１の伸縮部材４６と反対側の側面に開設される嵌挿溝と、嵌挿溝内に挿設される
挿杆４５３と、挿杆４５３および嵌挿溝の内端に固定される第１圧縮ばね４５４と、挿杆
４５３を押すボタン４５５と、およびボタン４５５を横方向のみ移動可能に制限し外部と
係合溝４５２を連通させる挿孔４５６とを含む、ことを特徴とする請求項１に記載の着脱
に適した防汚管路バルブ。
【請求項３】
回動ブロック４２の伸縮部材４６寄りの側面は第１弧面４ａとし、第１弧面４ａの弧面円
心が回転軸４４の軸心に位置し、取付溝４１の回動ブロック４２寄りの側面は第１弧面４
ａに合わせる第２弧面４ｂとし、第１弧面４ａと第２弧面４ｂ間の距離が係合歯４３の歯
高より小さい、ことを特徴とする請求項１に記載の着脱に適した防汚管路バルブ。
【請求項４】
第２弧面４ｂの係合歯４３側は係合歯４３の側面に合わせる斜坂４ｃとし、斜坂４ｃと最
外左側の係合歯４３との隙間をより小さい、ことを特徴とする請求項１に記載の着脱に適
した防汚管路バルブ。
【請求項５】
伸縮部材４６は、係合歯４３の底端に固定されるＴ型ブロック４６１と、回動ブロック４
２に開設され、Ｔ型ブロック４６１が直線状に滑動でき且つその脱離を防止できる限位滑
り溝４６３と、Ｔ型ブロック４６１と限位滑り溝４６３の底端との間に固定される第２圧
縮ばね４６２とを含み、限位滑り溝４６３の溝深が係合歯４３の歯高より大きい、ことを
特徴とする請求項１に記載の着脱に適した防汚管路バルブ。
【請求項６】
止封構造５は、入水管２の内部に開設される環形構造の蓄気溝５１と、蓄気溝５１の内部
で滑動する環形滑動板５２と、環形滑動板５２の回動ブロック４２寄りの一端に垂直に固
定される推杆５３と、環形滑動板５２の左端と蓄気溝５１の溝壁との間に固定される第１
引張ばね５４と、入水管２の内壁に取付けられる空心環形構造のゴムリング５５と、およ
び蓄気溝５１とゴムリング５５内部を連通させる通気路５６とを含む、ことを特徴とする
請求項１に記載の着脱に適した防汚管路バルブ。
【請求項７】
抵触構造６は、環形滑動板５２の推杆５３と反対側の一端に固定される抵触杆６２と、入
水管２に開設され抵触杆６２を直線状のみに移動可能にする横溝６１と、入水管２に開設
され入水管２内部と横溝６１を連通させる滑孔６３と、滑孔６３内で滑動する挟み板６４
と、両端がそれぞれ挟み板６４と滑孔６３の内壁に固定する第２引張ばね６５とを含み、
挟み板６４と抵触杆６２の対向面がいずれも斜面とする、ことを特徴とする請求項６に記
載の着脱に適した防汚管路バルブ。
【請求項８】
出水管３の弁体１と反対側の一端に汚水内の大粒の不純物の侵入を遮断するための防汚構
造７が着脱可能に取り付けられている、ことを特徴とする請求項１に記載の着脱に適した
防汚管路バルブ。
【請求項９】
防汚構造７は、出水管３の外端に套設される保護カバー７１と、保護カバー７１の内壁間
に固定される横杆７３と、横杆７３に回動自在に接続される断面十字状のピン軸７４と、
ピン軸７４の上下両端に固定されるインペラ７６およびスキージ７５とを含み、保護カバ
ー７１の内壁間にホッパ状を呈する濾過網７７が固定され、スキージ７５の濾過網７７寄
りの側面にブラッシュが設けられ、保護カバー７１の上開口寄りの外壁に複数個の接続孔
７２が開設され、接続孔７２内にネジを螺接することにより保護カバー７１を出水管３の
外端に取付ける、ことを特徴とする請求項８に記載の着脱に適した防汚管路バルブ。
【請求項１０】
係合歯４３の歯高が回動ブロック４２と入水管２の内壁との間の最小距離より大きい、こ
とを特徴とする請求項１に記載の着脱に適した防汚管路バルブ。
【発明の詳細な説明】
【技術分野】
【０００１】
本発明は、バルブに関し、特に着脱に適した防汚管路バルブに関する。
【背景技術】
【０００２】
バルブは、流体システムにおいて、流体の向きや、圧力、および流量を制御する装置であ
り、配管やデバイス内の媒体（液体、気体、粉末など）を流動および停止させ、且つその
流量を制御可能な装置である。バルブは、流体輸送管路システムにおいて制御手段として
、通路の断面積と媒体の流動方向を改変するために用いられ、例えば流体の案内、遮断、
スロットル、逆止、分岐またはオーバーフロー圧力解放等の機能を有する。流体制御に用
いられるバルブは、簡単な遮断弁から、非常に複雑的な自動制御システムで用いられる各
種類のバルブまで、種類と規格が様々である。バルブの名目直径は、極めて小さい計器弁
から、径１０ｍと大きい工業管路用弁まで様々ある。水、水蒸気、油、気体、泥水、各種
類の腐食性媒体、液相金属や放射性流体等の各種類の流体に対する流動制御に、バルブは
使用することができる。バルブの動作圧力は、０．００１３ＭＰａから１０００ＭＰａの
超高圧まで可能であり、動作温度は２７０℃の超低温から１４３０℃の高温まで可能であ
る。
【０００３】
印刷業の汚水放出分野において、外設排汚水管の端部にバルブを取付けて汚水の排出を制
御することがよく使われている。一般的バルブは、排汚水管に対して取付けるか取外すも
ので、操作が煩瑣であり、しかも別途のツールや、ドライバー等も使うことがあ流ので、
非常に不便である。また長期間で使用した後、接続箇所では漏出不都合が発生する可能性
があり、外部への汚染をもたらすことがある。
【発明の概要】
【０００４】
本発明の目的は、着脱に適した(着脱に便利な)防汚管路バルブを提供することである。該
バルブにおいて固定構造を設けることにより、単に簡単な操作で弁体の取り付けること、
および取り外すことを制御することができる。固定構造の固定操作によって、さらに止封
構造および抵触構造を駆動させることができる。これにより、外設防汚管路の三重固定を
効果的に実現する。別途に他の外設具を使用することがなく、取付確実性を向上するとと
もに、弁体の取付けと取り外し時間を減少することができる。また、良好な止封効果を有
することができ流ので、汚水が容易に流出できず、汚染をもたらすことがない。
【０００５】
上記の問題を解決するために、下記の技術方案を採用する。
着脱に適した防汚管路バルブは、
弁体と、弁体の両端にそれぞれ固定される入水管および出水管とを含み、入水管の内端管
壁には、弁体に向かう方向に沿って順次に、対称関係を呈する少なくとも一対の固定構造
と、一つの止封構造と、対応関係を呈する二つの抵触構造とが取付けられており、固定構
造は、外設排汚水管を入水管の内部に固定するためのものであり、止封構造は、外設排汚
水管と入水管との間の隙間を止封するためのものであり、抵触構造は、外設排汚水管と入
水管の間の固定を補強するためのものであり、
すべての固定構造はそれぞれ、入水管の内端に開設される取付溝と、回転軸によって取付
溝内に回転自在に接続される回動ブロックと、回動ブロックの入水管寄りの側面に取付け
られる複数個の係合歯と、および回動ブロックの回転軸と反対側の一端を位置決めする位
置決め部材とを含み、係合歯と回動ブロックとの間に係合歯を伸縮させる伸縮部材が接続
される。
【０００６】
好ましくは、位置決め部材は、回動ブロックの入水管寄りの一端に固定される固定ブロッ
クと、入水管に開設され固定ブロックに係合する係合溝と、固定ブロックの伸縮部材と反
対側の側面に開設される嵌挿溝と、嵌挿溝内に挿設される挿杆と、挿杆および嵌挿溝の内
端に固定される第１圧縮ばねと、挿杆を押すボタンと、およびボタンを横方向のみ移動可
能に制限するとともに外部と係合溝を連通させる挿孔とを含む。
【０００７】
好ましくは、回動ブロックの伸縮部材寄りの側面は第１弧面とするとともに、第１弧面の
弧面円心が回転軸の軸心に位置し、取付溝の回動ブロック寄りの側面は第１弧面に合わせ
る第２弧面とするとともに、第１弧面と第２弧面間の距離が係合歯の歯高より小さい。な
お、取付溝の回動ブロック寄りの側面は第１弧面に合わせる第２弧面は、対応する、接触
する、対面する関係でもよい。且つ係合歯により第１弧面と第２弧面の入水管内壁寄り側
の開口を遮蔽することにより、汚染物の侵入を減少する。これにより、第１弧面と第２弧
面の間に汚染物が蓄積され難いようにできる。これにより汚染物が多くなると回動ブロッ
クの係止めになって、回動できなくなることを防止できる。
【０００８】
好ましくは、第２弧面の係合歯側は係合歯の側面に合わせる斜坂とし、斜坂と最外左側の
係合歯との隙間をより小さく、斜坂と上記係合歯の外側面との抵触面積をより大きくさせ
ることができる。これにより係合歯を押圧して第２圧縮ばねを圧縮させることができると
ともに、隙間を減少でき、汚染物侵入の確率を減少する。
【０００９】
好ましくは、伸縮部材は、係合歯の底端に固定されるＴ型ブロックと、回動ブロックに開
設され、Ｔ型ブロックが直線状に滑動でき且つその脱離を防止できる限位滑り溝と、Ｔ型
ブロックと限位滑り溝の底端との間に固定される第２圧縮ばねとを含み、限位滑り溝の溝
深が係合歯の歯高より大きくすることにより、係合歯を完全に限位滑り溝内に収納するこ
とができ、回動ブロックの外部へ回り離れやすくなる。
【００１０】
好ましくは、止封構造は、入水管の内部に開設される環形構造の蓄気溝と、蓄気溝の内部
で滑動する環形滑動板と、環形滑動板の回動ブロック寄りの一端に垂直的に固定される推
杆と、環形滑動板の左端と蓄気溝の溝壁との間に固定される第１引張ばねと、入水管の内
壁に取付けられる空心環形構造のゴムリングと、および蓄気溝とゴムリング内部を連通さ
せる通気路とを含む。第１引張ばねによって環形滑動板が復位できる。
【００１１】
好ましくは、抵触構造は、環形滑動板の推杆と反対側の一端に固定される抵触杆と、入水
管に開設され抵触杆を直線状のみに移動可能にする横溝と、入水管に開設され入水管内部
と横溝を連通させる滑孔と、滑孔内で滑動する挟み板と、両端がそれぞれ挟み板と滑孔の
内壁に固定する第２引張ばねとを含み、挟み板と抵触杆の対向面がいずれも斜面とする。
第２引張ばねによって挟み板が復位できる。
【００１２】
好ましくは、出水管の弁体と反対側の一端に汚水内の大顆粒不純物の侵入を遮断するため
の防汚構造が着脱可能に取り付けられている。これにより汚水内の大量綿状不純物の直接
排出による処理困難という不都合を防止する。
【００１３】
好ましくは、防汚構造は、出水管の外端に套設される保護カバーと、保護カバーの内壁間
に固定される横杆と、横杆に回動自在に接続される断面十字状のピン軸と、ピン軸の上下
両端に固定されるインペラおよびスキージとを含み、保護カバーの内壁間にホッパ状を呈
する濾過網が固定され、スキージの濾過網寄りの側面にブラッシュが設けられ、保護カバ
ーの上開口寄りの外壁に複数個の接続孔が開設され、接続孔内にネジを螺接することによ
り保護カバーを出水管の外端に取付けることができる。出水管から汚水が排出する時に、
汚水の衝撃力によりインペラを回動させる。それと同期にピン軸が回動する。それに連動
してスキージが濾過網の表面を回動しながら掃除する。濾過網を塞ぐなどの不都合を有効
的に回避する。濾過網の正常使用を有効的に保証する。
【００１４】
好ましくは、係合歯の歯高が回動ブロックと入水管の内壁との間の最小距離より大きい。
即ち係合歯の上端面が入水管の内壁のある水平面より突出している。これにより、外設排
汚水管の入水管内へ取付ける際に、係合歯により抵触して固定することができる。
【００１５】
従来の技術と比較して、本発明は下記の有利な効果がある。
一  本発明において簡単な操作で外設の排汚水管の入水管内への取付けと取り外しを完成
することができ、弁体の取付けと取り外しの時間を大幅に減少することができる。別途で
他の外設具を使用することがなく、便利性が高い。
二  本発明において固定構造、止封構造と抵触構造により、多重の固定を提供することが
できる。このため、取付確実性を大きく向上する。
三  本発明において止封構造と抵触構造は固定構造の操作により駆動されて動作するので
、別に単独にそれらを操作する必要がない。
四  本発明において止封構造は外設防汚管路を固定するだけでなく、外設排汚水管と入水
管の間隙を止封することもでき、汚水の漏出を減少するとともに、良好な止封作用を具備
できる。
五  本発明において位置決め部材を使用して回動ブロックを位置きめすることができ、外
設防汚管路の入水管内への固定際における回動ブロックの回動を有効に防止する。
六  本発明において第１弧面と第２弧面を互いに合わせるように設けて、両弧面を接近さ
せて間隙を減少させることにより、汚染物の蓄積を避けることができ、回動ブロックの回
動の順調度への影響を防けることができる。
七  本発明において斜坂と左外側の係合歯の傾斜度が一致とするので、左外側の係合歯と
斜坂を接近させることにより、係合歯を押圧して第２圧縮ばねを圧縮させることができ、
これにより隙間を減少でき、汚染物侵入の確率を低減させる。
八  本発明において伸縮部材を使用して係合歯を回動ブロック内に収納する。これにより
、回動ブロックが、回り込み、および回り離れることができる。また第２圧縮ばねの弾性
力により係合歯の外設防汚管路への固着力を増大する。
九  本発明において防汚構造を設けて出水管からの排水を濾過することにより、有効に汚
水内の綿状物を除去する。これにより、汚水内の綿状物の直接排出による、以降工程の処
理への悪影響を減少する。また、濾過と同時に、塞ぎ防止処理を行って、濾過網が綿状物
に塞がれることを防止する。なお、防汚構造は必要によって取付けるもので、取り外して
適応してもよい。
十  本発明において係合歯の歯高が回動ブロックと入水管の内壁との間の最小距離より大
きくされ、即ち係合歯の上端面が入水管の内壁のある水平面より突出している。これによ
り、外設排汚水管を入水管内へ取付ける時に、係合歯により抵触して固定することができ
る。
【図面の簡単な説明】
【００１６】
【図１】本発明の回動ブロックにおける構造を示す斜視図である。
【図２】図１のＡ箇所における構成図である。
【図３】本発明の入水管における構造断面図である。
【図４】図３のＢ箇所における構成図である。
【図５】図４のＢ１箇所における構成図である。
【図６】本発明の止封構造と抵触構造における構成図である。
【図７】本発明の構造を示す斜視図である。
【図８】本発明の防汚構造の構成図である。［符号の説明］
【００１７】
１  弁体
２  入水管
３  出水管
４  固定構造
４ａ  第１弧面
４ｂ  第２弧面
４１  取付溝
４２  回動ブロック
４３  係合歯
４４  回転軸
４５  位置決め部材
４６  伸縮部材
４５１  固定ブロック
４５２  係合溝
４５３  挿杆
４５４  第１圧縮ばね
４５５  ボタン
４５６  挿孔
４６１  Ｔ型ブロック
４６２  第２圧縮ばね
４６３  限位滑り溝
５  止封構造
５１  蓄気溝
５２  環形滑動板
５３  推杆
５４  第１引張ばね
５５  ゴムリング
５６  通気路
６  抵触構造
６１  横溝
６２  抵触杆
６３  滑孔
６４  挟み板
６５  第２引張ばね
７  防汚構造
７１  保護カバー
７２  ネジ孔
７３  横杆
７４  ピン軸
７５  スキージ
７６  インペラ
７７  濾過網
【発明を実施するための形態】
【００１８】
以下、本発明の実施形態の図面を参照して、説明する。
実施例１
図１〜８に示されるように、着脱に適した防汚管路バルブは、弁体１と、弁体１の両端に
それぞれ固定される入水管２および出水管３とを含む。入水管２の内端管壁には、弁体１
に向かう方向に沿って順次に、対称関係を呈する少なくとも一対の固定構造４と、一つの
止封構造５と、対応関係を呈する二つの抵触構造６とが取付けられている。固定構造４は
、外設排汚水管を入水管２の内部に固定するためのものである。止封構造５は、外設排汚
水管と入水管２との間の隙間を止封するためのものである。抵触構造６は、外設排汚水管
と入水管２の間の固定を確実的に補強するためのものである。
【００１９】
すべての固定構造４はそれぞれ、入水管２の内端に開設される取付溝４１と、回転軸４４
によって取付溝４１内に回転自在に接続される回動ブロック４２と、回動ブロック４２の
入水管２寄りの側面に取付けられる複数個の係合歯４３と、および回動ブロック４２の回
転軸４４と反対側の一端を位置決めする位置決め部材４５とを含む。係合歯４３と回動ブ
ロック４２との間に係合歯４３を伸縮させる伸縮部材４６が接続される。係合歯４３の歯
高が回動ブロック４２と入水管２の内壁との間の最小距離より大きくされ、即ち係合歯４
３の上端面が入水管２の内壁のある水平面より突出している。これにより、外設排汚水管
の入水管２内へ取付ける際に、係合歯４３により抵触して固定することができる。
【００２０】
図２と図４に示されるように、位置決め部材４５は回動ブロック４２の入水管２寄りの一
端に固定される固定ブロック４５１と、入水管３に開設され固定ブロック４５１に係合す
る係合溝４５２と、固定ブロック４５１の伸縮部材４６と反対側の側面に開設される嵌挿
溝と、嵌挿溝内に挿設される挿杆４５３と、挿杆４５３および嵌挿溝の内端に固定される
第１圧縮ばね４５４と、挿杆４５３を押すボタン４５５と、およびボタン４５５を横方向
のみ移動可能に制限するとともに外部と係合溝４５２を連通させる挿孔４５６とを含む。
【００２１】
図５に示されるように、回動ブロック４２の伸縮部材４６寄りの側面は第１弧面４ａとす
るとともに、第１弧面４ａの弧面円心が回転軸４４に位置する。取付溝４１の回動ブロッ
ク４２寄りの側面は第１弧面４ａに合わせる第２弧面４ｂとするとともに、第１弧面４ａ
と第２弧面４ｂ間の距離が係合歯４３の歯高より小さく、第１弧面４ａと第２弧面４ｂの
間の隙間より小さくする。且つ係合歯４３により第１弧面４ａと第２弧面４ｂの入水管２
内壁寄り側の開口を遮蔽することにより、汚染物の侵入を減少する。これにより、第１弧
面４ａと第２弧面４ｂの間に汚染物が蓄積され難いようにできる。これにより汚染物が多
くなると回動ブロック４２の係止めになって、回動できなくなることを防止できる。第２
弧面４ｂの係合歯４３側は係合歯４３の側面に合わせる斜坂４ｃとする。これにより、斜
坂４ｃと最外左側の係合歯４３との隙間をより小さく、斜坂４ｃと上記係合歯４３の外側
面との抵触面積をより大きくさせることができる。これにより係合歯４３を押圧して第２
圧縮ばね４６２を圧縮させることができるとともに、隙間を減少でき、汚染物侵入の確率
を減少する。
【００２２】
図５に示されるように、伸縮部材４６は、係合歯４３の底端に固定されるＴ型ブロック４
６１と、回動ブロック４２に開設され、Ｔ型ブロック４６１が直線状に滑動でき且つその
脱離を防止できる限位滑り溝４６３と、Ｔ型ブロック４６１と限位滑り溝４６３の底端と
の間に固定される第２圧縮ばね４６２とを含む。限位滑り溝４６３の溝深が係合歯４３の
歯高より大きくすることにより、係合歯４３を完全に限位滑り溝４６３内に収納すること
ができ、回動ブロック４２の外部へ回り離れやすくなる。
【００２３】
図６に示されるように、止封構造５は入水管２の内部に開設される環形構造の蓄気溝５１
と、蓄気溝５１の内部で滑動する環形滑動板５２と、環形滑動板５２の回動ブロック４２
寄りの一端に垂直的に固定される推杆５３と、環形滑動板５２の左端と蓄気溝５１の溝壁
との間に固定される第１引張ばね５４と、入水管２の内壁に取付けられる空心環形構造の
ゴムリング５５と、および蓄気溝５１とゴムリング５５内部を連通させる通気路５６とを
含む。第１引張ばね５４によって環形滑動板５２が復位できる。抵触構造６は、環形滑動
板５２の推杆５３と反対側の一端に固定される抵触杆６２と、入水管２に開設され抵触杆
６２を直線状のみ移動可能にする横溝６１と、入水管２に開設され入水管２内部と横溝６
１を連通させる滑孔６３と、滑孔６３内で滑動する挟み板６４と、両端がそれぞれ挟み板
６４と滑孔６３内壁に固定する第２引張ばね６５とを含む。挟み板６４と抵触杆６２の対
向面がいずれも斜面とする。第２引張ばね６５によって挟み板６４が復位できる。
【００２４】
図７〜８に示されるように、出水管３の弁体１と反対側の一端に汚水内の大顆粒不純物の
侵入を遮断するための防汚構造７が着脱可能に取り付けられている。これにより汚水内の
大量綿状不純物の直接排出による処理困難という不都合を防止する。防汚構造７は、出水
管３の外端に套設される保護カバー７１と、保護カバー７１の内壁間に固定される横杆７
３と、横杆７３に回動自在に接続される断面十字状のピン軸７４と、ピン軸７４の上下両
端に固定されるインペラ７６およびスキージ７５とを含む。保護カバー７１の内壁間にホ
ッパ状を呈する濾過網７７が固定される。スキージ７５の濾過網７７寄りの側面にブラッ
シュが設けられる。保護カバー７１の上開口寄りの外壁に複数個の接続孔７２が開設され
る。接続孔７２内にネジを螺接することにより保護カバー７１を出水管３の外端に取付け
ることができる。出水管３から汚水が排出する時に、汚水の衝撃力によりインペラ７６を
回動させる。それと同期にピン軸７４が回動する。それに連動してスキージ７５が濾過網
７７の表面を回動しながら掃除する。濾過網７７を塞ぐなどの不都合を有効的に回避する
。濾過網７７の正常使用を有効的に保証する。
【００２５】
実用に際して、まず係合歯４３が第２弧面４ｂに位置するように回動ブロック４２を外側
へ回動させる。次いでに、外設排汚水管を入水管２の弁体１と反対側の一端に挿入する。
そして外設排汚水管寄り側に回動ブロック４２を押圧すればよい。押圧されると、回動ブ
ロック４２に連動して係合歯４３が第２弧面４ｂに沿って滑動して外設排汚水管の管壁に
抵触してそれを固定する。且つ第２圧縮ばね４６２の弾性力によって、この固定をさらに
確実的にさせる。この時に、固定ブロック４５１が係合溝４５２内に挿入しており、挿杆
４５３が第１圧縮ばね４５４の作用により挿孔４５６内に飛んで固定される。これにより
、回動ブロック４２が外部へ回れ離れにくくできる。また挿杆４５３によりボタン４５５
を外部へ推出する。これにより、外設排汚水管の取り外す時にボタン４５５を押圧して第
１圧縮ばね４５４を圧縮させて挿孔４５６内の挿杆４５３を推出して固定状態を解除する
。また第１弧面４ａと第２弧面４ｂが合わせるので、また斜坂４ｃと係合歯４３の外側面
とが合わせるので、外設汚水管路と入水管２の隙間に意外に入った汚物が、第１弧面４ａ
と第２弧面４ｂ間に入り、積もるのが難しく、回動ブロック４２が取付溝４１内で係止め
て回動ブロック４２の回り離れることを影響することを回避できる。
【００２６】
回動ブロック４２を押圧すると、回動ブロック４２が右側へ推杆５３を推動する。環形滑
動板５２が右移して蓄気溝５１内の空気を押出して通気路５６を介してゴムリング５５内
に進入させる。ゴムリング５５が爆気し膨張して外設排汚水管と入水管２の間の隙間を補
充するようになる。これにより良好な止封効果を達成することができる。有効に汚水漏出
を避免し、汚染を防止する。またゴムリング５５が膨張するならば、外設排汚水管を固定
するという一部的固定の機能も発生する。環形滑動板５２が右移すると抵触杆６２も右移
し、挟み板６４を外設排汚水管側に移動させるように推動して、管壁外側に抵触させてそ
れを抵触固定する。固定確実性をさらに増加する。またこの時に第２引張ばね６５が引張
っているので、抵触杆６２が復位すると、第２引張ばね６５の弾性力で挟み板６４も初期
位置に復位できる。
【００２７】
以上、述べたのは本発明のより良い具体的な実施形態にすぎず、本発明の保護範囲はこれ
に限定されない。
【要約】
本発明に係る着脱に適した防汚管路バルブは、弁体と、弁体の両端にそれぞれ固定される
入水管および出水管とを含み、入水管の内端管壁には、弁体に向かう方向に沿って順次に
、対称関係を呈する少なくとも一対の固定構造と、一つの止封構造と、対応関係を呈する
二つの抵触構造とが取付けられており、固定構造は、外設排汚水管を入水管の内部に固定
するためのものであり、止封構造は、外設排汚水管と入水管との間の隙間を止封するため
のものであり、抵触構造は、外設排汚水管と入水管の間の固定を補強するためのものであ
り、すべての固定構造はそれぞれ、入水管の内端に開設される取付溝と、回転軸によって
取付溝内に回転自在に接続される回動ブロックと、回動ブロックの入水管寄りの側面に取
付けられる複数個の係合歯と、および回動ブロックの回転軸と反対側の一端を位置決めす
る位置決め部材とを含み、係合歯と回動ブロックとの間に係合歯を伸縮させる伸縮部材が
接続される。本発明において簡単な操作で外設の排汚水管の入水管内への取付けと取り外
しを完成することができ、弁体の取付けと取り外しの時間を大幅に減少することができる
。別途で他の外設具を使用することがなく、便利性が高い。【図１】
0006788859.tif 000002
【図２】
0006788859.tif 000003
【図３】
0006788859.tif 000004
【図４】
0006788859.tif 000005
【図５】
0006788859.tif 000006
【図６】
0006788859.tif 000007
【図７】
0006788859.tif 000008
【図８】
0006788859.tif 000009